(57)【特許請求の範囲】
【請求項１】
剛性を有し、高さが略均一である桁体と、
該桁体の下面に固着されるか、または、前記桁体の下面近傍の側面に固着された下面板と、
素材がポリウレタン、天然又は合成ゴム、ウレタンゴム、発泡プラスチックのいずれか一つであるか、あるいは、ポリウレタン、天然又は合成ゴム、ウレタンゴム、発泡プラスチックのいずれか一つと金属プレートを組み合わせて補強されたものであって、上方からの加圧によって少なくとも一部が下方に撓み、その後に元の状態に回復する可撓性または弾性を有し、前記桁体の上部に同桁体の上面の一部が露出するように固着され、その上面よりも同桁体の上面の方が高くなるようにしてあるか、または、前記桁体の上部近傍の側面に同桁体の上面の全部が露出するように固着され、その上面よりも同桁体の上面の方が高くなるようにしてある上面板とを備える
パレット。
【請求項２】
前記桁体が、前記下面板の対向する一対の端部全域に配置されている
請求項１記載のパレット。
【請求項３】
前記桁体が、前記下面板の対向する一対の端部全域および該対向する一対の端部の間の領域に配置されている
請求項１記載のパレット。
【請求項４】
前記下面板が、素材がポリウレタン、天然又は合成ゴム、ウレタンゴム、発泡プラスチックのいずれか一つであるか、あるいは、ポリウレタン、天然又は合成ゴム、ウレタンゴム、発泡プラスチックのいずれか一つと金属プレートを組み合わせて補強されたものであって、加圧によって少なくとも一部が前記上面板の方向に撓み、その後に元の状態に回復する可撓性または弾性を有する
請求項１記載のパレット。
【請求項５】
前記下面板が剛性を有する
請求項１記載のパレット。
【請求項６】
荷物を載せた運搬手段の腕部または水平部を下方にあるパレットの方向に移動させて、ポリウレタン、天然または合成ゴム、ウレタンゴム、発泡プラスチックのいずれか一つで形成されているか、あるいは、ポリウレタン、天然または合成ゴム、ウレタンゴム、発泡プラスチックのいずれか一つと金属プレートを組み合わせて補強して形成されており、上方からの加圧によって少なくとも一部が下方に撓み、その後に元の状態に回復する上面板を下方へ撓ませ、高さが略均一で剛性を有すると共に前記上面板の上面よりもその上面が高くなるようにしてある桁体へ前記荷物を載置する工程と、
前記桁体の上に前記荷物を載置した状態で、前記腕部または前記水平部を水平方向へ引き抜く工程とを備える
荷物の運搬方法。
【請求項７】
前記腕部または前記水平部を前記上面板の下方に差し込み、同腕部または同水平部と同上面板の裏面を当接させて持ち上げて支持した状態で、前記パレットごと前記荷物を運搬する工程を備える
請求項６記載の荷物の運搬方法。
【発明の詳細な説明】
【技術分野】
【０００１】
本発明は、パレット及び荷物の運搬方法に関する。更に詳しくは、簡易な構造でありながら、フォークリフトからそのまま荷物を下ろすことができる作業性の良いパレット、および、フォークリフトからそのまま荷物を下ろして行う作業性の良い荷物の運搬方法、に関する。
【背景技術】
【０００２】
従来から、物的流通（以下、「物流」という）の現場では、運搬或いは保管する対象物を載置するものとして、パレットが使用されている。パレット上に対象物を載置してあれば、フォークリフト等でパレットごと対象物を運搬できて便利である。
【０００３】
一方、パレットに載置される前の対象物の移動は、パレット上面までは人力で対象物を運搬して載せるか、対象物の下に枕木を敷いて空間を作り、当該空間を利用してフォークリフト等で対象物をパレット上へ運ぶ必要がある。しかし、対象物が重量物であったり、対象物が大量であるときには、手作業で運搬することも、枕木を敷くことも、作業者に多大な負担が掛かる。
【０００４】
このような負担を解消又は軽減するため、例えばフォークリフトに対象物を積んで運搬し、直接パレット上へ下ろせることが好ましいが、一般的なパレットは耐荷重性を考慮して、上面板を含む全体が変形しないように剛性を有する素材で形成されており、このようなパレットへ対象物をフォークリフトから直接パレット上へ下ろすと、対象物とパレット上面の間に爪が挟まって抜けなくなる。
【０００５】
前記問題を解決すべく、対象物をフォークリフトから直接上面に下ろすことが可能な構造のパレットとして、下記特許文献１に記載されたものが提案されている。
特許文献１記載のパレットは、下板に固定されて、荷物を載置できる荷物載置平面を形成できる複数の支持材と、前記下板の側面方向からフォークリフトの爪が挿入できる爪挿入部とを備えてなるパレットにおいて、前記爪挿入部は、前記複数の支持材が前記フォークリフトの爪挿入方向と平行に配置されて区画された領域に、一方が回動自在に係合された端部となり他方が自由端となる可動部材を備えて形成され、前記回動自在に係合された端部は、前記支持材の前記荷物載置平面側上辺に固定された断面逆Ｌ字形アングル部材の内角部に支点を有して回動自在に係合されてなることを特徴とする。
【先行技術文献】
【特許文献】
【０００６】
【特許文献１】特開２００１−１５１２３６号公報
【発明の概要】
【発明が解決しようとする課題】
【０００７】
しかし、パレットはその性質上粗雑に取り扱われることが多く、特許文献１記載のパレットのようにフォークリフトの爪を受け入れる構造部が複雑であると、使用開始から比較的早い時期に当該構造部が破損する可能性が高い。更に、当該構造部が破損し、可動部材が開いたままになるか又は脱落等すると、パレットごと対象物を持ち上げるというパレット全般が有する本来の機能も失うことになる。また、構造の複雑化に伴い、通常のパレットと比較して製造コストも高くなる。
【０００８】
本発明は以上の点に鑑みて創案されたものであって、簡易な構造でありながら、フォークリフトからそのまま荷物を下ろすことができる作業性の良いパレットを提供することを目的とするものである。また、フォークリフトからそのまま荷物を下ろして行う作業性の良い荷物の運搬方法を提供することを目的とするものである。
【課題を解決するための手段】
【０００９】
本発明は、剛性を有し、高さが略均一である桁体と、該桁体の下面に固着されるか、または、前記桁体の下面近傍の側面に固着された下面板と、可撓性または弾性を有し、前記桁体の上面に固着されるか、または、前記桁体の上面近傍の側面に固着された上面板とを備えるパレットである。
【００１０】
下面板がパレット全体の基部となり、桁体により、パレットの上方から加わる荷重が支持される。また、桁体の高さが均一で無く、載置する荷物を水平に支持できないパレットの場合、荷物の種類によっては形状に歪みが生じることがあるが、本発明では、桁体の高さが略均一であることにより、パレットに載置される荷物が略水平に支持されるため、前記の不具合が起きにくい。
【００１１】
上面板により、上方からの加圧に追従して少なくとも上面板の一部が下方に撓み、その後回復する。
【００１２】
桁体、上面板及び下面板により囲まれた領域が形成される。当該領域は、運搬手段の腕部または水平部等の差し入れ部となり、当該差し入れ部に腕部または水平部等を差し込んで上面板の裏面から持ち上げ、運搬手段でパレットごと荷物を運搬する。
【００１３】
前記発明は、前記桁体が、上面板との固着部分において、上面の全部または一部が露出しており、上面板の表面と桁体の上面が面一であるものであってもよい。
【００１４】
上面板の表面と桁体の上面が面一であることにより、桁体の上面及び上面板に荷物が載置された際に、上面板へ直接加わる荷重が桁体へ分散されて低減し、荷物底面と上面板との接触面が減少する。
【００１５】
前記発明は、前記桁体が、上面板との固着部分において、上面の全部または一部が露出しており、上面板の表面よりも桁体の上面の方が高いものであってもよい。
【００１６】
上面板の表面よりも桁体の上面の方が高いことにより、桁体の上面及び上面板に荷物が載置された際に、上面板へ直接加わる荷重が無くなるか又は低減し、荷物底面と上面板との接触面が無くなるか又は減少する。
【００１７】
前記発明は、桁体が、対向する一対の端部全域に配置されているものであってもよい。
【００１８】
各桁体により、パレットの上方から加わる荷重が分散して支持される。
【００１９】
前記発明は、桁体が、対向する一対の端部全域、及び、該対向する一対の端部の間の領域に配置されているものであってもよい。
【００２０】
各桁体により、パレットの上方から加わる荷重がより分散して支持される。
【００２１】
前記発明は、下面板が可撓性又は弾性を有するものであってもよい。
【００２２】
下面板が可撓性又は弾性を有していることにより、下面板についても上面板と同様の作用を奏し、上面及び下面を入れ替えて両面使用が可能となる。
【００２３】
前記発明は、下面板が剛性を有するものであってもよい。
【００２４】
下面板が剛性を有することにより、桁体の剛性と相まって、パレット全体の剛性が向上する。
【００２５】
本発明は、剛性を有し、高さが略均一である桁体と、可撓性または弾性を有し、前記桁体の上面に固着されるか、または、前記桁体の上面近傍の側面に固着された上面板とを備えるパレットである。
【００２６】
桁体により、パレットの上方から加わる荷重が支持される。また、桁体の高さが略均一であることにより、パレットに載置される荷物が略水平に支持される。
【００２７】
上面板により、上方からの加圧に追従して少なくとも上面板の一部が下方に撓み、その後回復する。
【００２８】
桁体及び上面板により囲まれた領域が形成される。当該領域は、運搬手段の腕部または水平部等の差し入れ部となり、当該差し入れ部に腕部または水平部等を差し込んで上面板の裏面から持ち上げ、運搬手段でパレットごと荷物を運搬する。
【００２９】
本発明は、運搬手段の腕部または水平部を下方に移動し、パレットの上面板を下方へ撓ませることで、前記上面板にその上面が固着されると共に、剛性を有し、高さが略均一であるパレットの桁体に前記上面板を介して前記腕部または水平部に載置されている荷物を載置せしめる工程と、前記桁体の上に前記上面板を介して前記荷物を載置した状態で、前記腕部または水平部を水平方向に移動する工程とを備える荷物の運搬方法である。
【００３０】
運搬手段の腕部または水平部でパレットの上面板を下方へ撓ませ、荷物をパレット上へそのまま下ろす。桁体は下ろした荷物を略水平に支持する。桁体上に荷物を載置した状態で、腕部または水平部を水平方向に移動すると、パレットから腕部または水平部が引き抜かれる。このように、荷物の運搬からパレットへの載置までの作業が一連の動作でなされる。
【００３１】
本発明は、運搬手段の腕部または水平部を下方に移動し、パレットの上面板を下方へ撓ませることで、前記上面板にその上面近傍の側面が固着されると共に、剛性を有し、高さが略均一であるパレットの桁体に前記腕部または水平部に載置されている荷物を載置せしめる工程と、前記桁体の上に前記荷物を載置した状態で、前記腕部または水平部を水平方向に移動する工程とを備える荷物の運搬方法である。
【００３２】
運搬手段の腕部または水平部でパレットの上面板を下方へ撓ませ、荷物をパレット上へそのまま下ろす。桁体は下ろした荷物を略水平に支持する。桁体上に荷物を載置した状態で、腕部または水平部を水平方向に移動すると、パレットから腕部または水平部が引き抜かれる。このように、荷物の運搬からパレットへの載置までの作業が一連の動作でなされる。
【００３３】
前記発明は、前記運搬手段の腕部または水平部を前記上面板の下方から上方に移動し、前記運搬手段の腕部または水平部に、荷物が載置した状態のパレットを載置せしめる工程を備えるものであってもよい。
【００３４】
前記の工程後、荷物が載置した状態のパレットを運搬手段の腕部または水平部に載置し、運搬手段によりパレットごと荷物を所望の場所へ移動する。
【発明の効果】
【００３５】
本発明によれば、フォークリフトからそのまま荷物を下ろすことができる作業性の良いパレットを提供できる。また、本発明によれば、フォークリフトからそのまま荷物を下ろして行う作業性の良い荷物の運搬方法を提供できる。
【図面の簡単な説明】
【００３６】
【図１】第1実施形態に係るパレットの斜視説明図である。
【図２】図１に示すパレットの上面板がフォークリフトの爪により下方に撓んだ状態を表した使用状態説明図である。
【図３】図１に示すパレットの上面板の撓みが回復した状態を表した使用状態説明図である。
【図４】図１に示すパレットごと荷物を運搬する状態を表した使用状態説明図である。
【図５】第２実施形態に係るパレットの斜視説明図である。
【図６】第３実施形態に係るパレットの斜視説明図である。
【発明を実施するための形態】
【００３７】
図１乃至図６を参照して、本発明の実施の形態を更に詳細に説明する。なお、各図における符号は、煩雑さを軽減し理解を容易にする範囲内で付している。
【００３８】
〔第1実施形態〕 
本発明の一の実施の形態（第１実施形態）を、図１乃至図３に基づいて説明する。 
図１に示すパレット１は、長方形の平板である下面板１１と、下面板１１と長辺及び短辺が同じ寸法の上面板１４と、下面板１１と上面板１４の間に配置された同じ高さの側方桁体１２及び中央桁体１３とを備えている。当該下面板１１、側方桁体１２及び中央桁体１３は、所定の剛性を有する素材で形成されている。
【００３９】
下面板１１は、各短辺部の両角近傍部分と中央部分を残す形で、合計２箇所に切欠が形成されており、切欠により突出した両角近傍部分と中央部分はそれぞれ３つの係止片となる。
【００４０】
側方桁体１２は、全ての面が長方形で構成された横長の直方体であり、その横方向の長さがパレット１の短手方向の長さと同じであって、当該パレット１の短手方向の両方の縁部にそれぞれ固着されている。
側方桁体１２の上面及び下面には、短辺方向に亘る切欠（本実施形態では、長手方向両端とその中間の３箇所）が形成されている。
【００４１】
中央桁体１３は、全ての面が長方形で構成された横長の直方体であり、その横方向の長さはパレット１の短手方向の長さと同じである。中央桁体１３の上面には、短辺方向に亘る切欠（本実施形態では、長手方向両端とその中間の３箇所）が形成されている。
【００４２】
上面板１４は、可撓性又は弾性を有する平板であり、各短辺部の両角近傍部分と中央部分を残す形で合計２箇所に切欠が形成されており、切欠により突出した両角近傍部分と中央部分はそれぞれ３つの係止片となる。更に、上面板１４には、長手方向へ長い長方形の開口部が短手方向に２つ並設されており、同各開口部は上面板の各長辺部と中央部を残す形で形成されている。
【００４３】
下面板１１は、各側方桁体１２と、いわゆる組継ぎ（前記下面板１１の係止片と、側方桁体１２下面の切欠が嵌着する構造）により固着されている。中央桁体１３は、下面板１１の長手方向中央かつ各側方桁体１２と平行となるように配置され、その下面が下面板１１上面に固着されている。
【００４４】
上面板１４は、中央桁体１３上面を介し、各側方桁体１２上面の間に架け渡して固着されている。更に詳しくは、上面板１４は、各側方桁体１２及び中央桁体１３と、組継ぎ（前記上面板１４短辺部の係止片と各側方桁体１２上面の切欠が嵌着し、上面板１４の各開口部に挟まれた部分と中央桁体１３上面の切欠が嵌着する構造）により固着されている。
【００４５】
パレット１上面において、上面板１４表面と側方桁体１２及び中央桁体１３上面が面一となっており、各側方桁体１２及び中央桁体１３の上面の一部がパレット１上面に露出している。
【００４６】
パレット１長辺側の側部は開口しており、当該開口部から奥の領域（上面板１４及び下面板１１の間で、かつ、側方桁体１２と中央桁体１３の間に形成された空間。中央桁体１３を挟んで２つ形成される。）が、フォークリフトの爪の差込部１５となる。
【００４７】
（作  用）
図２乃至図４を参照して、パレット１の作用を説明する。符号４は運搬手段の一例であるフォークリフト、符号４１は運搬手段の腕部または水平部の一例であるフォークリフトの爪、符号５はパレット１への載置対象物となる荷物の一例である石膏ボードである。
【００４８】
複数枚の石膏ボード５を、運搬してきたトラック等から直接フォークリフト４に積み、パレット１のある場所まで運んで、パレット１上に直接下ろす。
【００４９】
パレット１上に石膏ボード５を直接下ろすと、上面板１４は、フォークリフト４の爪４１が上面板１４表面に当接した後、上方から押し下げる爪４１の動きに追従して下方に撓む（図２参照）。
【００５０】
石膏ボード５の載置後、石膏ボード５とパレット１上面に挟まれたフォークリフト４の爪４１を抜き取ると、上面板１４が元の状態に回復する（図３参照）。
パレット１に載置された石膏ボード５からの荷重は、主に各側部桁体１２及び中央桁体１３により支持される。また、パレット１は、下面板１１の剛性と、各側方桁体１２及び中央桁体１３の剛性とが相まって、パレット１全体の剛性を高める。
【００５１】
石膏ボード５をパレット１ごとフォークリフト４で移動させる際には、差込部１５に爪４１を差し込み、当該爪４１上部と上面板１４の裏面を当接させて持ち上げ、支持した状態で運搬する（図４参照）。
【００５２】
このように、フォークリフトの爪４１が石膏ボード５とパレット１の間に挟まることなく、石膏ボード５をパレット１へ直接下ろすことができるので、作業者の負担が解消又は軽減され、作業効率も向上する。また、フォークリフトの稼働時間が短縮されるので、ひいては省エネルギー及びＣＯ２削減に寄与する。
【００５３】
上面板１４の表面と側方桁体１２及び中央桁体１３の上面が面一に構成された結果、
（１）パレット１上に石膏ボード５を載置した際に、上面板１４へ加わる荷重の大部分が各桁体へ分散されて低減し、石膏ボード５底面による摩擦による上面板１４の摩耗が緩和され、
（２）最も荷重が加わる箇所である石膏ボード５底面と各桁体の間に、上面板１４が挟まれないので、当該部分における上面板１４の摩耗又は破断がなくなり、
載置物を原因とするパレット１の破損が防止又は抑制される。
【００５４】
〔第２実施形態〕 
本発明の他の実施の形態（第２実施形態）を図５に基づいて説明する。 なお、本実施形態において説明するパレット２は、パレット１と構造及び作用が概ね共通しているため、重複する部分の説明を省略し、相違する部分についてのみ説明する。
【００５５】
図５に示すパレット２は、下面板２１と、下面板２１と同一形状及び同一寸法の上面板２４と、下面板２１と上面板２４の間に配置された同一形状及び同一寸法の側方桁体２２及び中央桁体２３と、を備えている。なお、パレット２の上面板２４と側方桁体２２は、パレット１の上面板１４と側方桁体１２と同じ構造であるため、説明を省略する。
【００５６】
下面板２１は、可撓性又は弾性を有する平板であり、各短辺部の両角近傍部分と中央部分を残す形で合計２箇所に切欠が形成されており、切欠により突出した両角近傍部分と中央部分はそれぞれ３つの係止片となる。更に、下面板２１には、長手方向へ長い長方形の開口部が短手方向に２つ並設されており、同各開口部は上面板の各長辺部と中央部を残す形で形成されている。
【００５７】
中央桁体２３は、全ての面が長方形で構成された横長の直方体であり、横方向の長さがパレット２の短手方向と同じである。中央桁体２３の上面及び下面には、短辺方向に亘る切欠（本実施形態では、長手方向両端とその中間の３箇所）が形成されている。
【００５８】
下面板２１は、中央桁体２３下面を介し、各側方桁体２２下面の間に架け渡して固着されている。更に詳しくは、下面板２１は、各側方桁体２２及び中央桁体２３と、組継ぎ（前記下面板２１短辺部の係止片と各側方桁体２２下面の切欠が嵌着し、下面板２１の各開口部に挟まれた部分と中央桁体２３下面の切欠が嵌着する構造）により固着されている。
【００５９】
パレット２下面において、下面板２１表面と側方桁体２２及び中央桁体２３下面が面一となっており、各側方桁体２２及び中央桁体２３の下面の一部がパレット２下面に露出している。
【００６０】
前記パレット２長辺側の側部は開口しており、当該開口部から奥の領域（上面板２４及び下面板２１の間で、かつ、側方桁体２２と中央桁体２３の間に形成された空間。中央桁体２３を挟んで２つ形成される。）が、フォークリフトの爪の差込部２５となる。
【００６１】
（作  用）
図５を参照して、パレット２の作用を説明する。
パレット２は、下面板２１が可撓性又は弾性を有しているので、下面板２１についても上面板２４（パレット１の上面板１１の作用と同じ）と同様の作用を奏することとなり、上面及び下面を入れ替えることで、両面とも同じように使用することができる。
なお、他の作用については、パレット１と同様であるため、説明を省略する。
【００６２】
〔第３実施形態〕 
本発明の他の実施の形態（第３実施形態）を図６に基づいて説明する。 なお、本実施形態において説明するパレット３は、パレット１と作用が共通するため、説明を省略する。
【００６３】
図６に示すパレット３は、側方桁体３２と、当該各側方桁体３２と等間隔に配置された中央桁体３３と、各側方桁体３２と中央桁体３３の間の２つの領域に各々固着された下面板３１及び上面板３４と、を備えている。なお、下面板３１及び上面板３４は長辺及び短辺が同じ寸法であり、下面板３１、側方桁体３２及び中央桁体３３は、所定の剛性を有する素材で形成されている。
【００６４】
下面板３１は、平面部分の対向する一対の辺に、立ち上がり部３１１がそれぞれ形成されている。立ち上がり部３１１の高さは各桁体の半分の高さである。
【００６５】
側方桁体３２及び中央桁体３３は、同一形状（全ての面が長方形で構成された横長の直方体）であり、高さを含む各部が同一寸法である。各桁体の横方向の長さはパレット３の短手方向の長さと同じである。
【００６６】
上面板３４は、対向する一対の辺に垂下部３４１がそれぞれ形成されており、垂下部３４１を除く平面部分は可撓性又は弾性を有する。垂下部３４１の高さは各桁体の半分の高さである。上面板３４は、平面部分に４箇所の開口部を有し、方形枠内に十字枠が収まった形状（換言すると、平面部が格子状）に形成されている。
【００６７】
各下面板３１は、平行に配置された側方桁体３２及び中央桁体３３の間に挟まれる形で固着されている。更に詳しくは、各下面板３１は、一の立ち上がり部３１１の外側の面が、側方桁体３２の長手方向の側面に固着されており、他の立ち上がり部３１１の外側の面が、中央桁体３３の長手方向の側面に固着されている。
【００６８】
各上面板３４は、平行に配置された側方桁体３２及び中央桁体３３の間に挟まれる形で固着されている。更に詳しくは、各上面板３４は、一の垂下部３４１の外側の面が、側方桁体３２の長手方向の側面に固着されており、他の垂下部３４１の外側の面が、中央桁体３３の長手方向の側面に固着されている。
【００６９】
パレット３上面において、上面板３４表面と側方桁体３２及び中央桁体３３上面が面一となっており、各側方桁体３２及び中央桁体３３の上面全部がパレット３上面に露出している。
【００７０】
前記パレット３において長手側の側部は開口しており、当該開口部から奥の領域（上面板３４及び下面板３１の間で、かつ、側方桁体３２と中央桁体３３の間に形成された空間。中央桁体３３を挟んで２つ形成される。）が、フォークリフトの爪の差込部３５となる。
【００７１】
本実施の形態において、パレット３の上面板３４及び下面板３１は別体であるが、これに限定するものではなく、例えば、上面板の垂下部及び下面板の立ち上がり部を含んで同上面板及び下面板が一体となった構造（換言すると、対向する一対の側部を除き、上面板及び下面板、桁体に固着される側の一対の側壁が一体となった構造）であってもよい。
【００７２】
本実施の形態では、可撓性又は弾性を有する上面板及び可撓性又は弾性を有する下面板は、ポリウレタン製であるが、これに限定するものではなく、例えば、天然又は合成ゴム、ウレタンゴム等の各種樹脂、発泡プラスチック、板バネ等の公知素材で形成したものであってもよい。また、前記可撓性又は弾性を有する樹脂と、金属プレート等の剛性を有する素材を組み合わせて補強された上面板等を使用してもよく、この場合、桁体の上面（第１実施形態の場合。第２実施形態の場合は下面板も含む。）と当接する部分や、上面板の垂下部及び下面板の立ち上がり部（第３実施形態の場合）に金属プレートを組み合わせることで当該部分の曲げ強度及び剥離耐性が向上し、パレット全体としての剛性が向上する。
【００７３】
本実施の形態では、可撓性又は弾性を有する上面板及び可撓性又は弾性を有する下面板は、その全面が可撓性又は弾性を有するものであるが、これに限定するものではなく、例えば、フォークリフトの爪が当接する部分及びその近傍のみが可撓性又は弾性を有し、それ以外の部分は硬質であるような構造であってもよい。
【００７４】
本実施の形態では、中央桁体は、一つであるが、二以上であってもよい。また、中央桁体は、載置する対象物によっては設けない場合もある（この場合、桁体は側方桁体のみとなる）。
【００７５】
本実施の形態では、中央及び側方の各桁体は、プラスチック製であるが、これに限定するものではなく、例えば、木製、金属製等その他の公知素材又はこれらを組み合わせたものであってもよく、載置対象物の荷重に耐えうる程度の所定の剛性を有していればよい。
【００７６】
本実施の形態では、下面板（可撓性又は弾性を有する下面板を除く）は、プラスチック製であるが、これに限定するものではなく、例えば、木製、金属製等その他の公知素材又はこれらを組み合わせたものであってもよい。
【００７７】
本実施の形態では、３つの桁体（２箇所の側方桁体と中央桁体）が平行に並んで設けられているが、これに限定するものではなく、例えば、パレットの三方に側方桁体が設けられ、当該側方桁体の一つと中央桁体の一端が固着した（桁体が平面視Ｅ字状）態様等であってもよく、上面板が下方に撓むことができるスペース及びパレット側部の差込部を有していれば各種形状に設計変更が可能である。
【００７８】
本実施の形態では、パレット上面（第２実施形態では下面も含む）において、上面板表面と側方桁体及び中央桁体上面が面一となっているが、上面板表面よりも桁体上面の方が高くなるように構成してもよい。
【００７９】
本実施の形態では、パレットの運搬手段としてフォークリフトを使用しているが、ハンドリフト等の他の運搬手段であってもよい。また、差込部へ差し込む対象としてフォークリフトの爪を挙げているが、これに限定するものではなく、例えば、運搬手段としてクレーンやデリック等を使用する場合は、鉤部或いは吊下ロープ等の差し入れ部となる場合もある。
【００８０】
本明細書及び特許請求の範囲で使用している用語と表現は、あくまでも説明上のものであって、なんら限定的なものではなく、本明細書及び特許請求の範囲に記述された特徴およびその一部と等価の用語や表現を除外する意図はない。また、本発明の技術思想の範囲内で、種々の変形態様が可能であるということは言うまでもない。
【符号の説明】
【００８１】
１    パレット
１１    下面板
１２    側方桁体
１３    中央桁体
１４    上面板
１５    差込部
２    パレット
２１    下面板
２２    側方桁体
２３    中央桁体
２４    上面板
２５    差込部
３    パレット
３１    下面板
３１１    立ち上がり部
３２    側方桁体
３３    中央桁体
３４    上面板
３４１    垂下部
３５    差込部
４    フォークリフト
４１    爪
５    石膏ボード
【図１】
0005934144.tif 000002
【図２】
0005934144.tif 000003
【図３】
0005934144.tif 000004
【図４】
0005934144.tif 000005
【図５】
0005934144.tif 000006
【図６】
0005934144.tif 000007